(57)【特許請求の範囲】
【請求項１】
端末に圧縮端子を有する分岐線が架空電線に対して直交するように接続できる電線接続用Ｔ形クランプであって、
一端部側を回動自在に連結し、他端部側を開閉自在に構成した一対の板状の導電部材を備え、
これらの導電部材は、前記架空電線をその外周方向から挟持する半円弧状の凹部を一端部側に有し、
前記圧縮端子は、
一つ以上のボルト穴を開口した板状の羽子板部と、
この羽子板部と一体に成形し、前記分岐線の端末を挿入して圧縮接続した円筒状の圧縮部と、を有し、
一方の前記導電部材は、前記圧縮部の軸方向と前記架空電線が略直交配置できるように、前記羽子板部を締結できるボルト穴を有する電線接続用Ｔ形クランプ。
【請求項２】
一方の前記導電部材は、外形が異なる二種類以上の前記羽子板部を固定できる面積を有する請求項１記載の電線接続用Ｔ形クランプ。
【請求項３】
前記凹部に内装し、口径の異なる前記架空電線に対応して、内径が異なる複数種類の対を成す分割カラーを更に備える請求項１又は２記載の電線接続用Ｔ形クランプ。
【発明の詳細な説明】
【技術分野】
【０００１】
本発明は、電線接続用Ｔ形クランプに関する。特に、異なる外径を有する架空電線を把持できると共に、端末に圧縮端子を有する複数の分岐線が架空電線に対して直交するように接続できる電線接続用Ｔ形クランプの構造に関する。
【背景技術】
【０００２】
高圧・特別高圧の架空電線を取り扱う電気工事では、架空電線の端末と分岐線の端末を略平行に把持して、架空電線と分岐線を電気的に接続することがある。このような電線の平行接続に使用される用具は、ＰＧ（Ｐａｒａｌｌｅｌ  Ｇｒｏｏｖｅｄ）クランプと呼ばれている。
【０００３】
従来のＰＧクランプは、導電性を有する一対の帯状のクランク板で構成している。これらのクランク板は、一組の電線の外径に対応した一対の円弧溝を対向面に形成している。これらの円弧溝は、所定の離間距離を設けて略平行に形成している。これらの円弧溝に一組の電線を収容して、一対のクランク板をボルトとナットで締結することで、一組の電線を所定の圧力で把持できる。
【０００４】
ところで、従来のＰＧクランプは、一組の電線の口径が変わると、又は一方の電線の口径と他方の電線が異なると、これらの口径に対応した円弧溝を有する一対のクランク板を用意するという不具合があった。このような不具合を解消するため、異なる口径を有する一組の電線を把持可能なＰＧクランプが開示されている（例えば、特許文献１参照）。
【０００５】
一方、上述した電気工事では、端末に圧縮端子を有する複数の分岐線が架空電線に対して直交するように接続する工事がある。この場合、ＰＧクランプを用いて、架空電線と複数の分岐線を直交配置することは困難である。このような接続工事のために、比較的小型の圧縮コイルばねを用いて所望の電線挟持力が得られ、小型化が可能な電線の分岐装置が開示されている（例えば、特許文献２参照）。
【先行技術文献】
【特許文献】
【０００６】
【特許文献１】特開２０１２−５１８１号公報
【特許文献２】特開２００９−１７１６９８号公報
【発明の概要】
【発明が解決しようとする課題】
【０００７】
図６は、従来技術による電線の分岐装置の構成を示す斜視図である。本願の図６は、特許文献２の図１に相当している。図６を参照すると、従来技術による電線の分岐装置（以下、Ｔ形クランプという）９は、一端部側を回動自在に連結し、他端部側を開閉自在に構成した一対の板状の導電部材９１・９２を備えている。又、Ｔ形クランプ９は、圧縮スリーブ９３と一対の圧縮コイルばね９４・９４を備えている。
【０００８】
図６を参照すると、一対の導電部材９１・９２は、それらの一端部側を連結ピン９ｐで回動自在に連結している。一方の導電部材９１は、架空電線Ｗの外周の片側に当接できる半円弧状の溝９１ａを内壁に形成している。同様に、他方の導電部材９２は、架空電線Ｗの外周の片側に当接できる半円弧状の溝９２ａを内壁に形成している。一対の溝９１ａ・９２ａの間に架空電線Ｗを配置して、一対の導電部材９１・９２の他端部側を閉じることで、架空電線Ｗを挟持できる。
【０００９】
図６を参照すると、一方の導電部材９１は、その外壁から斜め下方に圧縮スリーブ９３を突出している。圧縮スリーブ９３は、引出線などの分岐線Ｗｅを挿入できる挿入穴９３ｈを先端面から穿設している。分岐線Ｗｅの端末を挿入穴９３ｈに挿入して、圧縮スリーブ９３の先端部側を圧縮成形することで、分岐線Ｗｅの端末を固定できる。そして、分岐線Ｗｅと架空電線Ｗを電気的に接続できると共に、架空電線Ｗに対して、分岐線Ｗｅを直交配置できる。
【００１０】
図６を参照すると、圧縮コイルばね９４には、ボルト部材９４ｂが挿通している。ボルト部材９４ｂは、その頭部側に座金９４ｗを配置している。圧縮コイルばね９４は、その一端面が座金９４ｗに当接し、他端面が一方の導電部材９１の外壁に当接している。
【００１１】
図６を参照して、ボルト部材９４ｂは、その軸部が一方の導電部材９１及び他方の導電部材９２を貫通し、他方の導電部材９２の外壁から突出している。ボルト部材９４ｂの軸部の先端部には、外周方向に突出した係止片（図示せず）を設けている。この係止片が他方の導電部材９２の外壁に当接すると共に、一方の導電部材９１の外壁から座金９４ｗが遠ざかる方向に圧縮コイルばね９４が力を付勢することで、一対の導電部材９１・９２の他端部側を閉じることができ、架空電線Ｗを所定の圧力で挟持できる。
【００１２】
図６を参照すると、圧縮コイルばね９４は、門型のブラケット９５で囲われている。ブラケット９５の頂部には、調整ボルト９５ｂが螺合している。調整ボルト９５ｂを一方の方向に回しておくと、調整ボルト９５ｂの先端部がボルト部材９４ｂの頭部を押して、架空電線Ｗの挟持力を弱くできる。調整ボルト９５ｂを他方の方向に回しておくと、調整ボルト９５ｂの先端部がボルト部材９４ｂの頭部から後退し、架空電線Ｗの挟持力を復元できる。
【００１３】
しかし、装柱された電気機器の移設工事、又は電気機器の故障に起因する復旧工事では、これらの電気機器に接続された圧縮端子を取り外して、この圧縮端子を架空電線に接続することが求められている。特許文献２によるＴ形クランプ９は、分岐線の端末を圧縮して、架空電線に接続することはできるが、口径の異なる圧縮端子を架空電線に接続することが困難であるという問題がある。又、特許文献２によるＴ形クランプ９は、架空電線の口径が異なると、別のＴ形クランプ９を用意する必要があるという問題がある。そして、以上のことが本発明の課題といってよい。
【００１４】
本発明は、このような課題に鑑みてなされたものであり、口径の異なる圧縮端子を架空電線に接続できると共に、端末に圧縮端子を有する分岐線が架空電線に対して直交するように接続できる電線接続用Ｔ形クランプを提供することを目的とする。
【課題を解決するための手段】
【００１５】
本発明者らは、端末に圧縮端子を有する分岐線が架空電線に対して直交するように接続できる電線接続用Ｔ形クランプであって、一端部側を回動自在に連結し、他端部側を開閉自在に構成した一対の板状の導電部材で架空電線を挟持すると共に、架空電線に対して分岐線が直交配置できるように、圧縮端子の羽子板部を締結可能なボルト穴を一方の導電部材に設けることで、これらの課題を解決できることを見出し、これに基づいて、以下のような新たな電線接続用Ｔ形クランプを発明するに至った。
【００１６】
（１）本発明による電線接続用Ｔ形クランプは、端末に圧縮端子を有する分岐線が架空電線に対して直交するように接続できる電線接続用Ｔ形クランプであって、一端部側を回動自在に連結し、他端部側を開閉自在に構成した一対の板状の導電部材を備え、これらの導電部材は、前記架空電線をその外周方向から挟持する半円弧状の凹部を一端部側に有し、前記圧縮端子は、一つ以上のボルト穴を開口した板状の羽子板部と、この羽子板部と一体に成形し、前記分岐線の端末を挿入して圧縮接続した円筒状の圧縮部と、を有し、一方の前記導電部材は、前記圧縮部の軸方向と前記架空電線が略直交配置できるように、前記羽子板部を締結できるボルト穴を有する。
【００１７】
（２）一方の前記導電部材は、外形が異なる二種類以上の前記羽子板部を固定できる面積を有することが好ましい。
【００１８】
（３）前記凹部に内装し、口径の異なる前記架空電線に対応して、内径が異なる複数種類の対を成す分割カラーを更に備えることが好ましい。
【発明の効果】
【００１９】
本発明による電線接続用Ｔ形クランプは、架空電線をその外周方向から挟持する一対の板状の導電部材を備え、分岐線の端末を圧縮接続した圧縮部の軸方向と架空電線が略直交配置できるように、圧縮端子の羽子板部を締結可能なボルト穴を一方の導電部材に設けているので、架空電線に対して分岐線を直交配置できる。
【図面の簡単な説明】
【００２０】
【図１】本発明の一実施形態による電線接続用Ｔ形クランプの構成を示す斜視分解組立図である。
【図２】前記実施形態による電線接続用Ｔ形クランプの構成を示す斜視図である。
【図３】前記実施形態による電線接続用Ｔ形クランプの構成を示す図であり、図３（Ａ）は、電線接続用Ｔ形クランプの正面図、図３（Ｂ）は、電線接続用Ｔ形クランプの右側面図であり、一方の導電部材に対して他方の導電部材を開いた状態図である。
【図４】前記実施形態による電線接続用Ｔ形クランプの構成を示す図であり、図４（Ａ）は、電線接続用Ｔ形クランプの正面図であり、外形が異なる二種類の羽子板部を一方の導電部材に固定した状態図、図４（Ｂ）は、図４（Ａ）の右側面図である。
【図５】前記実施形態による電線接続用Ｔ形クランプに備わる対を成す分割カラーの正面図であり、図５（Ａ）は、口径が最も小さい架空電線に対応した分割カラーの正面図、図５（Ｂ）は、図５（Ａ）よりも口径が大きい架空電線に対応した分割カラーの正面図、図５（Ｃ）は、図５（Ｂ）よりも口径が大きい架空電線に対応した分割カラーの正面図である。
【図６】従来技術による電線の分岐装置の構成を示す斜視図である。
【発明を実施するための形態】
【００２１】
以下、図面を参照して本発明を実施するための形態を説明する。
［電線接続用Ｔ形クランプの構成］
最初に、本発明の一実施形態による電線接続用Ｔ形クランプの構成を説明する。
【００２２】
図１は、本発明の一実施形態による電線接続用Ｔ形クランプの構成を示す斜視分解組立図である。図２は、前記実施形態による電線接続用Ｔ形クランプの構成を示す斜視図である。
【００２３】
図３は、前記実施形態による電線接続用Ｔ形クランプの構成を示す図であり、図３（Ａ）は、電線接続用Ｔ形クランプの正面図、図３（Ｂ）は、電線接続用Ｔ形クランプの右側面図であり、一方の導電部材に対して他方の導電部材を開いた状態図である。
【００２４】
図４は、前記実施形態による電線接続用Ｔ形クランプの構成を示す図であり、図４（Ａ）は、電線接続用Ｔ形クランプの正面図であり、外形が異なる二種類の羽子板部を一方の導電部材に固定した状態図、図４（Ｂ）は、図４（Ａ）の右側面図である。なお、従来技術で使用した符号と同じ符号は、その作用を同一にするので、以下の説明では割愛することがある。
【００２５】
（全体構成）
図１から図４を参照すると、本発明の一実施形態による電線接続用Ｔ形クランプ（以下、Ｔ形クランプと略称する）１０は、一対の板状の導電部材１１・１２を備えている。これらの導電部材１１・１２は、一端部側を回動自在に連結している。又、これらの導電部材１１・１２は、他端部側を開閉自在に構成している。導電部材１１・１２は、アルミニウム合金又は銅合金からなることが好ましい。Ｔ形クランプ１０は、種類の異なる一組の圧縮端子２・３を一方の導電部材１１に固定できる。
【００２６】
図１から図４を参照すると、一対の導電部材９１・９２は、それらの一端部側を連結ピン１ｐで回動自在に連結している。一方の導電部材１１は、架空電線Ｗの外周の片側に当接できる半円弧状の凹部１１ａを一端部側に形成している。同様に、他方の導電部材１２は、架空電線Ｗの外周の片側に当接できる半円弧状の凹部１２ａを一端部側に形成している。一対の凹部１１ａ・１２ａの間に架空電線Ｗを配置して、一対の導電部材１１・１２の他端部側を閉じることで、架空電線Ｗを挟持できる。
【００２７】
図１から図４を参照すると、一方の導電部材１１は、凹部１１ａに連続して、矩形板状の圧縮端子接続部１１ｂを形成している。他方の導電部材１２は、凹部１２ａに連続して、帯板状のフランジ部１２ｆを形成している。圧縮端子接続部１１ｂ及びフランジ部１２ｆには、複数のボルト穴１１ｈを開口している（図３参照）。これらのボルト穴１１ｈにボルト１２ｂを挿通し、ボルト１２ｂに一組のナット１２ｎを締結することで、一対の導電部材１１・１２の他端部側を確実に閉じることができる（図４参照）。
【００２８】
（圧縮端子の構成）
図１又は図２及び図４を参照すると、圧縮端子２は、導電性を有する銅合金で成形している。圧縮端子２は、導電性を有するアルミニウム合金で成形することもできる。圧縮端子２は、板状の羽子板部２ａと円筒状の圧縮部２ｃで構成している。圧縮部２ｃの先端部から分岐線Ｗｅの端末を挿入し、図示しない圧縮工具を用いて、圧縮部２ｃを圧縮成形することで、分岐線Ｗｅの端末と圧縮端子２を電気的及び機械的に接続できる。
【００２９】
図１を参照すると、羽子板部２ａは、四つのボルト穴２ｈを開口している。例えば、これらのボルト穴２ｈは、中心間のピッチＡ１が４０ｍｍであり、中心間の間隔Ｂ１が４０ｍｍである。又、これらのボルト穴２ｈの穴径は１４ｍｍであり、Ｍ１２のボルト２ｂを用いて、羽子板部２ａを圧縮端子接続部１１ｂに固定できる。又、羽子板部２ａの外形は、１１５ｍｍ（長さ）×７５ｍｍ（幅）である。圧縮端子２は、羽子板部２ａの外形及びボルト穴２ｈの間隔が同じであるが、適用される分岐線Ｗｅの外径が１３．０ｍｍ〜２８、２ｍｍの六種類となっている。
【００３０】
同様に、図１又は図２及び図４を参照すると、圧縮端子３は、導電性を有する銅合金で成形している。圧縮端子３は、導電性を有するアルミニウム合金で成形することもできる。圧縮端子３は、板状の羽子板部３ａと円筒状の圧縮部３ｃで構成している。圧縮部３ｃの先端部から分岐線Ｗｅの端末を挿入し、図示しない圧縮工具を用いて、圧縮部３ｃを圧縮成形することで、分岐線Ｗｅの端末と圧縮端子３を電気的及び機械的に接続できる。
【００３１】
同様に、図１を参照すると、羽子板部６ａは、六つのボルト穴３ｈを開口している。例えば、これらのボルト穴３ｈは、中心間のピッチＡ２が５０ｍｍであり、中心間の間隔Ｂ２が５０ｍｍである。又、これらのボルト穴３ｈの穴径は１８ｍｍであり、Ｍ１６のボルト３ｂを用いて、羽子板部３ａを圧縮端子接続部１１ｂに固定できる。又、羽子板部３ａの外形は、１９０ｍｍ（長さ）×１００ｍｍ（幅）である。圧縮端子３は、羽子板部３ａの外形及びボルト穴３ｈの間隔が同じであるが、適用される分岐線Ｗｅの外径が３５．２ｍｍ〜４１、６ｍｍの４種類となっている。
【００３２】
図１又は図３を参照すると、一方の導電部材１１は、羽子板部２ａを圧縮端子接続部１１ｂの左方に固定できるボルト穴１２ｈを開口している。ボルト穴１２ｈは、ボルト２ｂが螺合するＭ１２のネジ穴になっている。又、一方の導電部材１１は、羽子板部３ａを圧縮端子接続部１１ｂの右方に固定できるボルト穴１３ｈを開口している。ボルト穴１３ｈは、ボルト３ｂが螺合するＭ１６のネジ穴になっている。
【００３３】
図２又は図４を参照すると、Ｔ形クランプ１０は、圧縮端子２だけを圧縮端子接続部１１ｂに固定でき、圧縮端子３だけを圧縮端子接続部１１ｂに固定できる。Ｔ形クランプ１０は、圧縮端子２と圧縮端子３の双方を圧縮端子接続部１１ｂに固定できる。つまり、一方の導電部材１１は、外形が異なる二種類の羽子板部２ａ・３ａを固定できる面積を有している。
【００３４】
又、図２又は図４を参照して、圧縮部２ｃの軸方向と架空電線Ｗが略直交配置できるように、羽子板部２ａを圧縮端子接続部１１ｂに締結でき、圧縮部３ｃの軸方向と架空電線Ｗが略直交配置できるように、羽子板部３ａを圧縮端子接続部１１ｂに締結できる。つまり、複数の分岐線Ｗｅと架空電線Ｗを略直交配置できる。
【００３５】
引き続き、実施形態によるＴ形クランプ１０の構成を説明する。図５は、前記実施形態による電線接続用Ｔ形クランプに備わる対を成す分割カラーの正面図であり、図５（Ａ）は、口径が最も小さい架空電線に対応した分割カラーの正面図、図５（Ｂ）は、図５（Ａ）よりも口径が大きい架空電線に対応した分割カラーの正面図、図５（Ｃ）は、図５（Ｂ）よりも口径が大きい架空電線に対応した分割カラーの正面図である。
【００３６】
図１から図５を参照すると、Ｔ形クランプ１０は、複数種類の対を成す分割カラー４ａ・４ｂ・４ｃを更に備えている。これらの対を成す分割カラー４ａ・４ｂ・４ｃは、一対の凹部１１ａ・１２ａに内装され、口径の異なる架空電線Ｗに対応して、内径が異なっている。
【００３７】
図５（Ａ）を参照すると、対を成す一対の分割カラー４ａ・４ａは、口径が最も小さい架空電線Ｗに対応している。図５（Ｂ）を参照すると、対を成す一対の分割カラー４ｂ・４ｂは、図５（Ａ）よりも口径が大きい架空電線Ｗに対応している。図５（Ｃ）を参照すると、対を成す一対の分割カラー４ｃ・４ｃは、図５（Ｂ）よりも口径が大きい架空電線Ｗに対応している。
【００３８】
図１から図４を参照すると、Ｔ形クランプ１０は、実施の形態として、対を成す一対の分割カラー４ｃ・４ｃを取り付けているが、一対の分割カラー４ａ・４ａ、又は一対の分割カラー４ｂ・４ｂを取り付けることもできる（図５）。対を成す一対の分割カラーを使用しない場合は、想定される最大口径の架空電線Ｗを一対の凹部１１ａ・１２ａで挟持できる。このように、Ｔ形クランプ１０は、内径が異なる複数種類の分割カラーを交換することで、口径の異なる架空電線を容易に挟持できる。
【００３９】
［電線接続用Ｔ形クランプの作用］
次に、実施形態によるＴ形クランプ１０の作用及び効果を説明する。図１から図４を参照すると、実施形態によるＴ形クランプ１０は、架空電線Ｗをその外周方向から挟持する一対の板状の導電部材１１・１２を備え、分岐線Ｗｅの端末を圧縮接続した圧縮部２ｃ・３ｃの軸方向と架空電線Ｗが略直交配置できるように、圧縮端子２・３の羽子板部２ａ・３ａを締結可能なボルト穴１２ｈ・１３ｈを一方の導電部材１１に設けているので、架空電線Ｗに対して分岐線Ｗｅを直交配置できる。実施形態によるＴ形クランプ１０は、電気機器に接続された圧縮端子を取り外して、この圧縮端子を架空電線Ｗに接続することが容易である。
【００４０】
又、図１から図５を参照すると、実施形態によるＴ形クランプ１０は、一対の凹部１１ａ・１２ａに内装し、口径の異なる架空電線Ｗに対応して、内径が異なる複数種類の対を成す分割カラー４ａ・４ｂ・４ｃを更に備えているので、内径が異なる複数種類の分割カラーを交換することで、口径の異なる架空電線Ｗを容易に挟持できる。
【００４１】
本発明による電線接続用Ｔ形クランプは、次のような効果が期待される。
（ア）口径の異なる架空電線、及び口径の異なる分岐線に対応でき、様々な場所で活用できる。
（イ）圧縮端子を容易に着脱できる。
（ウ）架空電線及び分岐線の適用範囲が広いので、復旧工事に迅速に対応できる。
【００４２】
本発明による電線接続用Ｔ形クランプは、端末に圧縮端子を有する分岐線が架空電線に対して直交するように接続できる実施形態を開示したが、引出線に対して、端末に圧縮端子を有する分岐線を直交するように接続することもできる。
【符号の説明】
【００４３】
２・３  圧縮端子
２ａ・３ａ  羽子板部
２ｃ・３ｃ  圧縮部
１０  Ｔ形クランプ（電線接続用Ｔ形クランプ）
１１・１２  一対の導電部材
１１ａ・１２ａ  一対の凹部
１１ｈ・１２ｈ  ボルト穴
Ｗ  架空電線
Ｗｅ  分岐線
【図１】
0005876514.tif 000002
【図２】
0005876514.tif 000003
【図３】
0005876514.tif 000004
【図４】
0005876514.tif 000005
【図５】
0005876514.tif 000006
【図６】
0005876514.tif 000007